(57)【特許請求の範囲】
【請求項１】
場所打ちコンクリート杭の杭頭処理を行う杭頭処理工法であって、
内部に形成された装薬スペースと底部側に設けられた水平破砕部とを有するとともに長手方向に延びる装薬ホルダを複数用意し、
前記水平破砕部は、水平方向に拡がる第１板部と、前記第１板部と重なり合って前記装薬スペースと連通する水平合わせ部を形成する第２板部と、を有し、
前記装薬ホルダを前記水平破砕部で支持するための支持部材を杭天端に相当する箇所に水平方向に設け、
前記装薬ホルダを前記水平破砕部が前記支持部材に載るようにして杭の縦方向に設置し、
コンクリート打設後、前記装薬スペースに装填した動的破砕剤に点火することで、前記水平合わせ部から噴出する燃焼ガスによる膨張圧の作用により前記杭天端から上部の杭頭部分のコンクリートに破砕面を形成して前記杭頭部分を破砕させることを特徴とする杭頭処理工法。
【請求項２】
前記装薬ホルダは、長手方向に延びた垂直破砕部を有し、前記垂直破砕部が杭の縦方向に位置するように設置され、
前記破砕剤の点火時に前記垂直破砕部から噴出する燃焼ガスによる膨張圧の作用により前記杭頭部分のコンクリートに破砕面を形成して前記杭頭部分を破砕させることを特徴とする請求項１に記載の杭頭処理工法。
【請求項３】
前記装薬ホルダを、前記水平合わせ部からの燃焼ガスの噴出方向と、前記垂直破砕部からの燃焼ガスの噴出方向とが略同一方向になるように構成することを特徴とする請求項２に記載の杭頭処理工法。
【請求項４】
前記第１板部と前記第２板部とはそれら全体の平面形状が矩形状に構成され、
前記装薬ホルダは前記水平破砕部において前記装薬スペースと連通する開口部を有することを特徴とする請求項１乃至３のいずれか１項に記載の杭頭処理工法。
【請求項５】
前記第２板部は、平板に構成されるか、または、前記開口部に対向する部分が折り曲げられていることを特徴とする請求項４に記載の杭頭処理工法。
【請求項６】
前記杭の中心部にコンクリート打設のためのトレミー管が垂直方向に配置され、
複数の杭主筋が前記杭の垂直方向に延びるように配置され、前記複数の杭主筋を包囲するようにリング状のせん断補強筋が配置され、
前記せん断補強筋を利用して前記支持部材を前記トレミー管の周囲に前記複数の装薬ホルダを設置できるように配置することを特徴とする請求項１乃至５のいずれか１項に記載の杭頭処理工法。
【請求項７】
請求項１乃至６のいずれか１項に記載の杭頭処理工法に用いられることを特徴とする装薬ホルダ。
【発明の詳細な説明】
【技術分野】
【０００１】
本発明は、場所打ちコンクリート杭についての杭頭処理工法およびその工法に用いる装薬ホルダに関する。
【背景技術】
【０００２】
場所打ちコンクリート杭の杭頭処理に関する従来の工法として次のものが知られている。
（１）はつり工法
杭頭の余盛り部を手動式の破砕機を用いて人力によりはつり、発生したコンクリートガラを処理する工法で、作業時間に制限があるなどして時間を要するばかりでなく、騒音・振動が著しく、周辺環境に大きく影響する。また、作業中に、杭頭の鉄筋を傷めるなど、工法的な問題もある。
【０００３】
（２）静的破砕剤
あらかじめ杭頭に設置したシース管などに挿入した破砕剤の膨張作用により、杭頭のコンクリートを小割にし、処理する工法である（たとえば、特許文献１，２参照）が、後施工となるため、破砕剤が適度に作用することが難しく、また、水平面がうまく構成され難いため、結果的に人力による仕上げはつりの量が多くなる傾向にある。
【０００４】
（３）動的破砕剤による鉛直破砕工法
動的破砕剤を杭頭の鉛直方向に装着し、動的破砕により杭頭を鉛直方向に小割し、補助的に手動破砕機によるはつり作業を伴い、発生するコンクリートガラを処理する工法が提案されている（たとえば、特許文献３，４参照）。従来の動的破砕工法では、鉛直破断方式の破砕による縦割り後に水平面を形成するか、または、杭径と同寸法の水平円形板をあらかじめ設置しておく必要がある。
【０００５】
上述の従来の動的破砕による杭頭処理工法において設置される水平円形板について説明する。図１０（ａ）、（ｂ）のように、複数の杭主筋４１０と複数のせん断補強筋４２０とにより杭筋篭を組み立ててから、杭頭処理部３１０に相当する杭筋篭の上部に地組で杭径とほぼ同じ径の水平円形板３４０を設置し、複数の簡易装薬ホルダ２１０を設置し、コンクリートを打設する。その後、簡易装薬ホルダ２１０の内部に高エネルギー物質を装填し、爆轟または爆燃による衝撃波または膨張ガスが簡易装薬ホルダ２１０の突き合わせ部に作用して、鉛直方向の亀裂が進展し、破断面が形成されるとともに、衝撃波または膨張ガスが水平円形板３４０に達し、水平円形板３４０とその上部のコンクリートの境界に剥離が生じることにより、水平方向に沿って亀裂進展が制御される。このようにして、杭頭処理部３１０において杭本体を損傷させずにコンクリートを破砕することができる。
【先行技術文献】
【特許文献】
【０００６】
【特許文献１】特開平９−２８０８００号公報
【特許文献２】特開２００２−２８５５５０号公報
【特許文献３】特公平８−１２０４０号公報
【特許文献４】特許第４２４５６１４号公報
【発明の開示】
【発明が解決しようとする課題】
【０００７】
市街地での杭頭処理工事は、発生する騒音や振動が規定値以内であることはもとより、近隣周辺へ不安や不快感を与えないよう極力低減する必要がある。そのためには、破砕機によるはつり作業を極力回避することが望ましく、したがって、静的破砕剤あるいは動的破砕剤の適用が前提条件となる。一方、前者は、上述のように、破砕剤挿入が後行作業となり、先行作業であるシース管取付けやコンクリート打設などの影響も大きいことなどから、破砕の確度が高いとは言えなく、環境面、工程面から動的破砕の方が有効性は高いと判断できる。
【０００８】
動的破砕工法では、現行の工法としては、鉛直方向に高エネルギー物質を装填し、杭頭部と杭本体の間に水平円形板を配置することが破砕施工手順であるが、破砕した後は出来型に合わせて仕上げはつりを増やすとしている。現行の動的破砕工法では、破砕効果の水平方向の制御は、専ら水平円形板によっているが、この水平円形板の設置工程が必要であり、そのための手間と期間が必要であった。
【０００９】
本発明は、上述のような従来技術の問題に鑑み、杭径と略同寸法の水平円形板をあらかじめ設置する従来の杭頭処理工法よりも施工に要する手間と期間を低減することが可能な杭頭処理工法および装薬ホルダを提供することを目的とする。
【課題を解決するための手段】
【００１０】
上記目的を達成するために、本実施形態による杭頭処理工法は、場所打ちコンクリート杭の杭頭処理を行う杭頭処理工法であって、内部に形成された装薬スペースと底部側に設けられた水平破砕部とを有するとともに長手方向に延びる装薬ホルダを複数用意し、前記水平破砕部は、水平方向に拡がる第１板部と、前記第１板部と重なり合って前記装薬スペースと連通する水平合わせ部を形成する第２板部と、を有し、前記装薬ホルダを前記水平破砕部で支持するための支持部材を杭天端に相当する箇所に水平方向に設け、前記装薬ホルダを前記水平破砕部が前記支持部材に載るようにして杭の縦方向に設置し、コンクリート打設後、前記装薬スペースに装填した動的破砕剤に点火することで、前記水平合わせ部から噴出する燃焼ガスによる膨張圧の作用により前記杭天端から上部の杭頭部分のコンクリートに水平破砕面を形成して前記杭頭部分を破砕させることを特徴とする。
【００１１】
この杭頭処理工法によれば、水平破砕部を底部側に有する装薬ホルダを杭天端に設けた支持部材に設置すると、水平破砕部が杭天端近くに位置し、また、水平破砕部の第１板部と第２板部との間の水平合わせ部から噴出する燃焼ガスによって生じる膨張圧による破砕力により杭天端から上部の杭頭部分に水平破砕面を形成することができるので、従来の杭径と略同寸法の水平円形板を省略できるとともに、装薬ホルダの設置が従来の水平円形板を配置する場合よりも容易となる。
【００１２】
上記杭頭処理工法において前記装薬ホルダは、長手方向に延びた垂直破砕部を有し、前記垂直破砕部が杭の縦方向に位置するように設置され、前記破砕剤の点火時に前記垂直破砕部から噴出する燃焼ガスによる膨張圧の作用により前記杭頭部分のコンクリートに破砕面を形成して前記杭頭部分を破砕させることが好ましい。これにより、杭頭部分を垂直方向に破砕することができる。
【００１３】
また、前記装薬ホルダを、前記水平合わせ部からの燃焼ガスの噴出方向と、前記垂直破砕部からの燃焼ガスの噴出方向とが略同一方向になるように構成することが好ましい。水平方向の破砕と垂直方向の破砕とを合わせることで杭頭部分の破砕を効率的に行うことができる。
【００１４】
また、前記第１板部と前記第２板部とはそれら全体の平面形状が矩形状に構成され、前記装薬ホルダは前記水平破砕部において前記装薬スペースと連通する開口部を有することが好ましい。
【００１５】
また、前記第２板部は、平板に構成されるか、または、前記開口部に対向する部分が折り曲げられていることが好ましい。
【００１６】
また、前記杭の中心部にコンクリート打設のためのトレミー管が垂直方向に配置され、複数の杭主筋が前記杭の垂直方向に延びるように配置され、前記複数の杭主筋を包囲するようにリング状のせん断補強筋が配置され、前記せん断補強筋を利用して前記支持部材を前記トレミー管の周囲に前記複数の装薬ホルダを設置できるように配置することが好ましい。これにより、複数の装薬ホルダを杭頭部分に簡単に設置することができる。
【００１７】
本実施形態による装薬ホルダは、上述の杭頭処理工法に用いられることを特徴とする。
【００１８】
この装薬ホルダによれば、支持部材に設置すると、底部側の水平破砕部が杭天端近くに位置し、また、水平破砕部の第１板部と第２板部との間の水平合わせ部から噴出する燃焼ガスによって生じる膨張圧による破砕力により杭天端から上部の杭頭部分に水平破砕面を形成することができるので、従来の杭径と略同寸法の円形板を省略することができるとともに、装薬ホルダの設置が従来の円形板を配置する場合よりも容易となる。
【発明の効果】
【００１９】
本発明の杭頭処理工法および装薬ホルダによれば、杭径と略同寸法の水平円形板をあらかじめ設置する従来の杭頭処理工法よりも施工に要する手間と期間を低減することが可能である。
【図面の簡単な説明】
【００２０】
【図１】本実施形態による装薬ホルダの正面図である。
【図２】図１の装薬ホルダの垂直破砕部の上面図である。
【図３】図１の装薬ホルダの上面図（ａ）および要部正面図（ｂ）である。
【図４】本実施形態による杭頭処理工法を説明するためにコンクリート打設前の杭筋篭の杭天端における鉄筋および装薬ホルダの配置例を示す上面図である。
【図５】図４の１つの装薬ホルダを方向Vから見た図である。
【図６】図４の鉄筋および装薬ホルダの全体を方向VIから見た図である。
【図７】本実施形態によるコンクリート杭の施工工程を説明するためのフローチャートである。
【図８】本実施形態においてコンクリート打設後に装薬ホルダ内に動的破砕剤などを装填した状態を説明するために装薬ホルダ内を透視した図である。
【図９】本実施形態による装薬ホルダ１０の別の例を示す、図３（ｂ）と同様の要部正面図である。
【図１０】従来の杭頭処理工法における杭鉄筋、装薬ホルダ、水平円形板の配置を示す上面図（ａ）および断面図である。
【発明を実施するための形態】
【００２１】
以下、本発明を実施するための形態について図面を用いて説明する。
【００２２】
〈装薬ホルダ〉
まず、本実施形態の杭頭処理工法に使用可能な装薬ホルダについて図１〜図３を参照して説明する。
【００２３】
図１は、本実施形態による装薬ホルダの正面図である。図２は図１の装薬ホルダの垂直破砕部の上面図である。図３は図１の装薬ホルダの上面図（ａ）および要部正面図（ｂ）である。
【００２４】
図１に示すように、装薬ホルダ１０は、長手方向に延びて細長く構成された垂直破砕部１１と、垂直破砕部１１の底部に水平方向に拡がるように設けられた水平破砕部１２と、を備える。垂直破砕部１１は、図２のように、鋼板を折り曲げた一対の折り曲げ鋼板１１ａ，１１ｂから構成される。
【００２５】
図２のように、折り曲げ鋼板１１ａ，１１ｂは、頂部がたとえば１２０°にかつ等辺に折り曲げられて、各端部１１ｃ，１１ｄ同士が突き合わされて平面的に略菱形形状になって垂直破砕部１１を構成する。具体的には、たとえば、ガムテープ等の粘着テープを用いて折り曲げ鋼板１１ａ，１１ｂに巻き付けて、折り曲げ鋼板１１ａ，１１ｂを筒状にする。このとき、折り曲げ鋼板１１ａ，１１ｂの端部１１ｄに縦方向に延びる突き合わせ部ＳＬ１が形成され、端部１１ｃに縦方向に延びる突き合わせ部ＳＬ２が形成される。
【００２６】
図３（ａ）のように、垂直破砕部１１の略菱形状の内面には、装薬スペースＳＰが形成され、この装薬スペースＳＰに円柱状の動的破砕剤ＨＡを挿入し装填することができる。動的破砕剤に点火すると、垂直破砕部１１の垂直方向に延びる突き合わせ部ＳＬ１，ＳＬ２に燃焼ガスの膨張圧が作用し、亀裂を進展させる。
【００２７】
水平破砕部１２は、図３（ａ）（ｂ）に示すように、垂直破砕部１１に対し水平方向に拡がるように長方形状に構成された第１鋼板部１３と、第１鋼板部１３と重なり合う第２鋼板部１４と、を備える。
【００２８】
図３（ａ）（ｂ）のように、垂直破砕部１１の折り曲げ鋼板１１ｂの下端部は、その頂部１１ｆ上の点ａと、その端部１１ｃの底端ｂとを結ぶ傾斜した辺に沿って切断され、同じく頂部１１ｆ上の点ａと、別の端部１１ｄの底端ｃとを結ぶ傾斜した辺に沿って切断され、両辺によるたとえば角度１２０°の開口部ＡＰを形成する。また、垂直破砕部１１の折り曲げ鋼板１１ａの下端部においても同様にして切断により開口部を形成する。
【００２９】
水平破砕部１２の第１鋼板部１３は、図３（ｂ）のように、開口部ＡＰの切断された辺に沿うように折り曲げられる。このとき、開口部ＡＰと装薬スペースＳＰとが連通するように第１鋼板部１３に開口（図示省略）が形成されている。折り曲げ鋼板１１ａ，１１ｂと第１鋼板部１３とは、たとえば、溶接により接合される。
【００３０】
第１鋼板部１３の平面形状に合わせて構成された平板状の第２鋼板部１４を第１鋼板部１３の底面に重ね合わせて配置し、両面の間に隙間のある水平合わせ部１５を形成する。これにより、装薬スペースＳＰ、開口部ＡＰ、水平合わせ部１５が連通する。具体的には、第１鋼板部１３と第２鋼板部１４とは、たとえばガムテープ等の粘着テープを巻き付けて一体化する。このとき、図３（ａ）の第１鋼板部１３と第２鋼板部１４との長辺ｄ，ｅとの間の隙間および開口部ＡＰ（折り曲げ鋼板１１ａ側の開口部も）を、たとえばガムテープ等の粘着テープを重ね合わせて用いて閉塞し、短辺ｆ、ｇも同様にして閉塞する。このように水平合わせ部１５の周囲および開口部ＡＰをガムテープ等で塞ぐことで、コンクリート打設時にコンクリート中の水分が装薬ホルダ１０の内部に浸入することを防止する。なお、ガムテープ等は杭頭処理時に燃焼ガスの膨張圧によって破断する。
【００３１】
装薬スペースＳＰに装填された動的破砕剤に点火すると、主として、水平破砕部１２の第１鋼板部１３と第２鋼板部１４との間の水平方向に延びる水平合わせ部１５の短辺ｆ、ｇから燃焼ガスの膨張圧が作用し、水平方向に亀裂を進展させる。すなわち、装薬ホルダ１０の水平破砕部１２は、図３（ａ）のように、平面的には長方形状に構成されているが、この長方形の長手方向の隙間（短辺ｆ、ｇ）における亀裂進展作用は、短手方向の隙間（長辺ｄ，ｅ）における亀裂進展作用に対して非常に大きく、短辺方向に水平亀裂を進展させる。また、膨張ガス圧が短辺ｆ，ｇ側の水平合わせ部１５に作用することも重なって、長辺ｄ，ｅ側に対しても効果的な水平破断面形成が可能となる。
【００３２】
装薬ホルダ１０の底部の開口部ＡＰを図３（ｂ）、後述の図８のように、くさび形の空洞断面にすることによって、膨張圧の作用方向を集中させる効果を得ることができる。これにより、水平破砕部１２の水平合わせ部１５には開口部ＡＰ内の燃焼ガスの膨張圧が集中して作用し、開口部ＡＰから突き出た水平合わせ部１５の隙間にガスが侵入して、水平方向への破断面が効率的に形成される。また、装薬ホルダ１０の底部の開口部ＡＰのある空間は、水平方向破断面を生じさせるための空間となり、充満した燃焼ガスが水平合わせ部１５の隙間に侵入し、その隙間を開く作用を作り出し、予定方向に亀裂を進展させることができる。
【００３３】
また、図３（ａ）のように、垂直破砕部１１の垂直方向に延びる突き合わせ部ＳＬ１の向きと、水平破砕部１２の水平方向に延びる水平合わせ部１５の短辺ｆの向きとは互いに同一方向を向いている。同様に突き合わせ部ＳＬ２の向きと短辺ｇの向きとは、互いに同一方向を向いている。これにより、水平破砕部１２の水平合わせ部１５からの燃焼ガスの噴出方向と、垂直破砕部１１からの燃焼ガスの噴出方向とが略同一方向になる。
【００３４】
なお、装薬ホルダ１０の折り曲げ鋼板１１ａ，１１ｂおよび第１鋼板部１３，１４は、たとえば、厚さ1.6mmの亜鉛鋼板を用いることができるが、これに限定されるものではない。
【００３５】
〈杭頭処理工法〉
次に、図１〜図３の装薬ホルダ１０を用いた本実施形態による杭頭処理工法について図４〜図６を参照して説明する。
【００３６】
図４は、本実施形態による杭頭処理工法を説明するためにコンクリート打設前の杭筋篭の杭天端における鉄筋および装薬ホルダの配置例を示す上面図である。図５は、図４の１つの装薬ホルダを方向Vから見た図である。図６は図４の鉄筋および装薬ホルダの全体を方向VIから見た図である。
【００３７】
図４のように、破線で示す場所打ちのコンクリート杭Ｐを打設するために、杭Ｐの長手方向に延びる複数の杭主筋２１が平面的に円周上に略等間隔に配置され、複数の杭主筋２１を包囲するようにリング状のせん断補強筋２２が配置されることで、杭筋篭が組み立てられる。複数のせん断補強筋２２が杭Ｐの長手方向に略等間隔に配置される。また、杭筋篭の上面の略中心にコンクリート打設のためにトレミー管ＴＭが配置される。
【００３８】
図６のように、複数の杭主筋２１は、コンクリート杭Ｐの杭天端ＵＰから突き出て配置され、コンクリート打設時に杭天端ＵＰを超えて余盛部ＹＭ（一点鎖線で示す）が形成されるが、この余盛天端ＹＵからも突き出るように配置される。
【００３９】
図４〜図６のように、装薬ホルダ１０を設置するための支持部材２４は、杭天端ＵＰ近傍のせん断補強筋２２に掛け渡されて水平に固定される２本の鉄筋２５，２６と、鉄筋２５，２６の上に配置されて水平に固定されるＬ形鋼２７，２７と、Ｌ形鋼２７，２７の間に掛け渡されて水平に固定される平板鋼２８，２８と、を備える。鉄筋２５，２６は、たとえば、杭主筋２１と同径のものを使用できる。
【００４０】
図４〜図６のように、互いに平行に配置された鉄筋２５，２６に沿ったＬ形鋼２７，２７と、Ｌ形鋼２７，２７の間に互いに平行に掛け渡された平板鋼２８，２８とは、トレミー管ＴＭをかわす位置に水平に取り付けられ、平面的に略正四角形状となっている。Ｌ形鋼２７，２７，平板鋼２８，２８の長手方向の略中央に装薬ホルダ１０をそれぞれ配置することで、４本の装薬ホルダ１０を設置する。
【００４１】
装薬ホルダ１０を、図４の円形状平面において、同じ方向を向く垂直破砕部１１の突き合わせ部ＳＬ１と水平破砕部１２の水平合わせ部１５の短辺ｆとを、半径方向外方ｒを向くように位置決めて配置する。これにより、突き合わせ部ＳＬ２と短辺ｇとが半径方向内方ｒ’を向いて配置される。
【００４２】
次に、図４〜図６の杭筋篭を用いて行われる場所打ちのコンクリート杭の施工工程Ｓ０１〜Ｓ１１について図７，図８を参照して説明する。図７は、本実施形態によるコンクリート杭の施工工程を説明するためのフローチャートである。図８は、本実施形態においてコンクリート打設後に装薬ホルダ内に動的破砕剤などを装填した状態を説明するために装薬ホルダ内を透視した図である。
【００４３】
図４〜図６のように杭鉄筋を組み立て杭筋篭をつくる（Ｓ０１）。次に、図４〜図６のように４本の装薬ホルダ１０を杭筋篭の杭天端ＵＰから垂直方向上方に延びるように取り付ける（Ｓ０２）。この後、装薬ホルダ１０の水平方向の取付け位置や水平を調整する。次に、杭筋篭（杭鉄筋）を杭施工位置に建て込んでから（Ｓ０３）、トレミー管ＴＭを通してコンクリートを打設する。コンクリートが硬化した後、掘削工事（Ｓ０５）によりコンクリートの杭頭面を露出させ、各装薬ホルダ１０の上端から図３（ａ）の装薬スペースＳＰに円柱状の動的破砕剤ＨＡを挿入し装填する（Ｓ０６）。なお、コンクリート打設の際は、トレミー管ＴＭを杭径の中央に据え、装薬ホルダ１０の水平方向の位置や水平をずらさないよう注意して作業を行う。また、コンクリート打設後、トレミー管ＴＭを引抜く際にも、装薬ホルダ１０の水平破砕部１２に接触しないよう注意して作業を行う。
【００４４】
図８のように、装薬ホルダ１０の上部から装薬スペースＳＰへ動的破砕剤ＨＡが挿入され、その下部に紙筒３４を装着して、紙筒３４の先端はホルダ底部の水平破砕部１２の第２鋼板部１４の上に位置する。これによって、動的破砕剤ＨＡの下部は体積デカップリング（空隙を設けること）の状態となり、点火によって生じた燃焼ガスが水平破砕部１２に膨張圧を作用させることができる。また、動的破砕剤ＨＡの上部は発砲スチロール材３１および砂（またはくり粉）３２が配置され、その上部はセメント系早強材３３が配置されることで、装薬スペースＳＰはタンピングされた密閉状態となり、動的破砕剤ＨＡの燃焼ガスの装薬スペースＳＰの上端からの燃焼ガスの噴出を防止する。また、動的破砕剤ＨＡを点火するための脚線３５が装薬ホルダ１０の上部から外部に導出されている。
【００４５】
次に、動的破砕剤ＨＡに脚線３５を通して電流を流し点火することで、杭頭部分に相当する余盛部ＹＭを破砕する（Ｓ０７）。これにより、コンクリート打設の終了直前のため不純物などが混入しやすい余盛部ＹＭを除去することができる。次に、破砕されたコンクリートガラを撤去し（Ｓ０８）、仕上げはつりを行い（Ｓ０９）、杭鉄筋の必要な手直しを行い（Ｓ１０）、はつり後の杭天端や杭鉄筋の状態を検査し（Ｓ１１）、異常がなければ施工を終了し、必要であれば手直しを行う。
【００４６】
なお、動的破砕剤ＨＡは、公知の各種破砕剤を使用でき、たとえば、酸化第２銅、アルミニウム、硫酸マグネシウム７水和物を主成分としこれらを円筒状のカートリッジ内に入れたものを使用でき、点火すると、テルミット反応により激しい酸化還元反応とともに高温・高圧の水蒸気が発生し、この発生した膨張圧を利用する。また、臭素酸塩等のガス発生剤を主剤とした薬筒と点火具が一体となったものも使用でき、密閉状態で点火すると、高温・高圧ガスを発生する。
【００４７】
上記破砕工程（Ｓ０７）において、装薬ホルダ１０に装填された動的破砕剤ＨＡが点火されることで、その膨張圧により破砕力を生じさせる燃焼ガスが主に水平破砕部１２の水平方向に延びる水平合わせ部１５の短辺ｆ、ｇから噴出することで、余盛部ＹＭ（杭頭部分）のコンクリートに水平方向に亀裂が生じて伝搬し、これにより、水平方向の破砕面を破砕と同時に形成することができ、余盛部ＹＭを主に水平方向に破砕する。
【００４８】
また、動的破砕剤ＨＡの点火で、その膨張圧により破砕力を生じさせる燃焼ガスが垂直破砕部１１の縦方向に延びる突き合わせ部ＳＬ１，ＳＬ２から噴出することで、杭頭部分のコンクリートを主に垂直方向に破砕する。すなわち、本出願人が先に特許文献４で明らかにしたように、略菱形状の装薬スペースＳＰの内壁において衝撃波または膨張波が反射し、反射衝撃波または反射膨張波が、図３（ａ）のように縮小する突き合わせ部ＳＬ１，ＳＬ２に向かって進む程、強くなる集中効果が生じ、さらに突き合わせ部ＳＬ１，ＳＬ２に接近して集中効果がさらに増大するといった動的効果により余盛部ＹＭ内で亀裂が進み、全体として亀裂が縦方向に進む。
【００４９】
以上のように、本実施形態の杭頭処理工法によれば、動的破砕剤を装着する装薬ホルダ１０が底部側に水平破砕部１２を備え、装薬ホルダ１０を杭天端に設けた支持部材２４に設置すると、水平破砕部１２が杭天端近くに位置するので、装薬ホルダ１０の配置が容易となる。
【００５０】
また、装薬ホルダ１０の水平破砕部１２に、第１鋼板部１３と第２鋼板部１４とによる水平方向に延びる水平合わせ部１５を設けることで、破砕方向を水平方向に制御するとともに、第１鋼板部１３と第２鋼板部１４の長辺が水平方向に延びることで、破砕の際の水平方向の指向性を高めることができる。これにより、破砕剤による水平方向の動的破砕効果の最大化・最適化を実現できるとともに、水平方向の動的破砕効果をより効率化することができる。また、従来のような杭径と同寸法の水平円形板（図１０）を省略することができる。
【００５１】
したがって、施工に手間・期間を要する場所打ちコンクリート杭の杭頭破砕工事において、本実施形態による水平破砕部１２を有する装薬ホルダ１０を適用することで、水平方向の破砕面を破砕と同時に形成できるので、従来の鉛直破断方式の破砕による縦割り後に水平面を形成したり、また、図１０（ａ）（ｂ）の杭径と同寸法の水平円形板３４０をあらかじめ設置しておく従来の動的破砕工法と比較し、大幅に施工に要する手間と期間を低減することが可能となる。
【００５２】
次に、本実施形態による装薬ホルダ１０の別の例について図９を参照して説明する。図９は、本実施形態による装薬ホルダ１０の別の例を示す、図３（ｂ）と同様の要部正面図である。
【００５３】
図９の装薬ホルダ１０Ａは、水平破砕部１２の第２の鋼板部１４Ａが垂直破砕部１１の下端部において開口部ＡＰ（図３（ｂ））を形成する二辺と水平方向に対称な形状の山形部１６を有する点が、図３（ｂ）と相違し、これ以外は、図１〜図３の装薬ホルダ１０と同様の構成である。装薬ホルダ１０Ａの底部側では、図３（ｂ）の開口部ＡＰよりも断面積が約二倍の開口部ＡＰ’が形成される。
【００５４】
なお、図９の装薬ホルダ１０Ａを設置するために、図４の支持部材２４の鉄筋２５，２６、Ｌ形鋼２７，２７、平板鋼２８，２８を二分割にし、装薬ホルダ１０Ａを両端支持で設置するようにできる。図９の開口部ＡＰ’のある空間は、水平方向破断面を生じさせるための空間となり、充満した燃焼ガスが水平合わせ部１５の隙間に侵入し、その隙間を開く作用を作り出し、予定方向に亀裂を進展させることができる。
【００５５】
以上のように本発明を実施するための形態について説明したが、本発明はこれらに限定されるものではなく、本発明の技術的思想の範囲内で各種の変形が可能である。例えば、動的破砕剤や破砕器は、例示した以外のものも使用可能であることはもちろんである。
【００５６】
また、本実施形態の装薬ホルダの垂直破砕部１１は、二枚の折り曲げ鋼板を組み合わせて構成したが、これに限定されず、他の構成としてもよい。
【００５７】
また、本実施形態では装薬ホルダを４本配置したが、本発明はこれに限定されず、５本以上であってもよく、また３本であってもよい。
【００５８】
また、本実施形態の杭筋篭は、図６のように、杭主筋が上方に定着分伸びている杭頭固定タイプであるが、本発明は、これに限定されず、たとえば、杭主筋が上方に伸びていない杭頭半固定タイプ（図１０（ｂ）参照）にも適用できる。
【００５９】
また、本実施形態の装薬ホルダ１０では、図３（ｂ）、図８のように、開口部ＡＰの頂角を１２０°、底角を３０°としたが、これに限定されず、変えてもよい。
【符号の説明】
【００６０】
１０，１０Ａ 装薬ホルダ  １１ 垂直破砕部  １２ 水平破砕部  １３ 第１鋼板部  １４，１４Ａ 第２鋼板部  １５ 水平合わせ部  ２１ 杭主筋  ２２ せん断断補強筋  ２４ 支持部材  ２５，２６ 鉄筋  ２７ Ｌ形鋼  ２８ 平板鋼  ＨＡ 破砕剤  Ｐ コンクリート杭  ＳＰ 装薬スペース  ＳＬ１，ＳＬ２ 突き合わせ部  ＴＭ トレミー管  ＵＰ 杭天端  ＹＭ 余盛部（杭頭部分）
【図１】
0005846489.tif 000002
【図２】
0005846489.tif 000003
【図３】
0005846489.tif 000004
【図４】
0005846489.tif 000005
【図５】
0005846489.tif 000006
【図６】
0005846489.tif 000007
【図７】
0005846489.tif 000008
【図８】
0005846489.tif 000009
【図９】
0005846489.tif 000010
【図１０】
0005846489.tif 000011